(57)【要約】【課題】キャップ及びスパウトのプラスチック部分が紙容器から分別されるリサイクルに際して、容易にかつ制御された流れで分離分別できる紙容器を提供する【解決手段】開封装置を備える紙容器１であって、開封装置２が、封止フィルムが張られた開口部上のスパウト７と、開口部の周縁外面上のフランジ１０と、キャップ６とからなり、開封装置を紙容器から分離するに際して、分離用フィルムの把持容易部を引き上げることにより、開口部の周縁外面下の紙基材を剥ぎ取りながら、スパウトとフランジとを引き剥がす。【選択図】図１
2015061791.tif 000002
【特許請求の範囲】
【請求項１】
容器頂部にキャップ及びスパウトを有する開封装置を備える紙容器であって、該紙容器が紙基材と熱可塑性材料の最外層及び最内層との積層包装材料からなり、該開封装置が、封止フィルムが張られた開口部上のスパウトと、開口部の周縁外面上のフランジと、キャップとからなり、
該開口部の周縁外面上に積層され、該フランジの底面と接合され、該フランジの外縁より延長した把持容易部を備える分離用フィルムを備え、
該開封装置を紙容器から分離するに際して、該分離用フィルムの該把持容易部を引き上げることにより、該開口部の周縁外面下の該紙基材を剥ぎ取りながら、該スパウトと該フランジとを引き剥がすことを特徴とする紙容器。
【請求項２】
該フランジの外縁側の該容器頂部に、該熱可塑性最外層から該紙基材の途中まで切込みが形成されている請求項１記載の紙容器。
【請求項３】
該開封装置が、該スパウトと、該フランジと、該キャップと、該スパウト内に収納される回転刃とを備える請求項２記載の紙容器。
【発明の詳細な説明】
【技術分野】
【０００１】
本発明は、スパウトを持つ紙容器に関し、使用済み紙容器から容易にスパウトを分離することができる紙容器に関する。
【背景技術】
【０００２】
柔軟性に富んだ紙包装材料は多年にわたって液体食品を包装するために用いられてきた。牛乳、果汁ジュース、野菜ジュース、豆乳、ワイン、清酒、焼酎、ミネラルウォーター、スープ及びその他飲料のための図４に示すような紙容器１は、例えば、繊維質基材（例えば、紙など）／プラスチック積層体に折目線が付けられたウェブ状包装材料を、その長手方向の縦線シールによりチューブ状に成形し、チューブ状に成形された包装材料内に液体食品を充填し、チューブ状包装材料を横断方向に横線シールし、枕状の包装体（一次形状容器）に成形する。
枕状の包装体を横シール部分で容器１個分ごとに切断し、最終成形工程で、折目線に沿って山折り若しくは谷折に、フィン及びフラップを折畳んで、図４に示すレンガ状の容器１が成形される。
【０００３】
紙容器例１は、容器頂部に、図４（Ｂ）に示すように、スクリューキャップ６及びスパウト付き開封装置２を備える。この開封装置例では、図４（Ａ）に示すように、封止フィルム４が張られた開口部３上に、注ぎ口のスパウトとそれと螺合するスクリューキャップ６とからなる。（例えば、特許文献１参照）
【先行技術文献】
【特許文献】
【０００４】
【特許文献１】特開２００３ー０２６２１９号公報
【発明の概要】
【発明が解決しようとする課題】
【０００５】
キャップ及びスパウトを持つ紙容器に充填された液体食品を飲用した後、容器はリサイクルされる。リサイクルに際して、キャップ及びスパウトのプラスチックと紙容器とに分別される。スパウトのプラスチック部分は、シールの観点から紙容器とに強固に接着され、容易に分離できない不都合があり、また、開封用の尖ったプラスチック部分などが意図しない動きを分離に際してする恐れがある。
本発明の目的は、キャップ及びスパウトのプラスチック部分が紙容器から分別されるリサイクルに際して、容易にかつ制御された流れで分離分別できる紙容器を提供することである。
【課題を解決するための手段】
【０００６】
この発明は、容器頂部にキャップ及びスパウトを有する開封装置を備える紙容器であって、紙容器が紙基材と熱可塑性材料の最外層及び最内層との積層包装材料からなり、開封装置が、封止フィルムが張られた開口部上のスパウトと、開口部の周縁外面上のフランジと、キャップとからなり、
開口部の周縁外面上に積層され、フランジの底面と接合され、フランジの外縁より延長した把持容易部を備える分離用フィルムを備え、
開封装置を紙容器から分離するに際して、分離用フィルムの把持容易部を引き上げることにより、開口部の周縁外面下の紙基材を剥ぎ取りながら、スパウトとフランジとを引き剥がすことを特徴とする。
【０００７】
この発明の好ましい態様において、フランジの外縁側の容器頂部に、熱可塑性最外層から紙基材の途中まで切込みが形成されている。
【０００８】
この発明の好ましい態様において、開封装置が、スパウトと、フランジと、キャップと、スパウト内に収納される回転刃とを備える。
【発明の効果】
【０００９】
上記構成の本発明によれば、以下の作用機能を発揮し、有利な効果が得られる。
この発明による紙容器は、容器頂部にキャップ及びスパウトを有する開封装置を備える。
容器頂部に、開封装置が注ぎ口を形成し、スパウトが注ぎ口の機能を担い、キャップがスパウトを覆い、衛生的にスパウトを保護すると共に、開封後は再封止を可能にする。
【００１０】
この発明による紙容器は、紙基材と熱可塑性材料の最外層及び最内層との積層包装材料からなる。
両熱可塑性層は、基材の紙層を水、湿気から保護し、紙基材は機械的強度を容器に付与し、器壁の厚みの大部分を占める。厚みのある紙基材は繊維質であるので、容易に層状に剥がれることができる。
【００１１】
この発明による開封装置は、封止フィルムが張られた開口部上のスパウトと、開口部の周縁外面上のフランジと、キャップとからなる。
スパウトは、開封時に、封止フィルムが破られ開口部に開口が形成され、注ぎ口の役割を果たす。
フランジは、スパウトの基部に一体的に配設され、開口部の周縁外面上に接合されて容器に固定される。
キャップは、上述のように、スパウトを覆い、衛生的にスパウトを保護すると共に、開封後は再封止を可能にする。
【００１２】
この発明による紙容器は、開口部の周縁外面上に積層され、フランジの底面と接合され、フランジの外縁より延長した把持容易部を備える分離用フィルムを備える。
分離用フィルムは、開口部の周縁外面とフランジ底面との間に積層される。分離用フィルムの把持容易部は、フランジの外縁より延長した部分となる。
この発明による分離用フィルムの把持容易部は、上記構成を有するので、開封装置を紙容器から分離するに際して、分離用フィルムの把持容易部を引き上げると、分離用フィルムと紙容器の積層包装材料と、特に、最外層との間に最も強いストレスが発生し、ストレスによって弱い最外層が破断し、それと融着する紙基材層も破断が生じる。厚みのある紙基材は繊維質であるので、容易に層状に剥がれ、開口部の周縁外面下に沿って、紙基材を層状に剥ぎ取ることができ、スパウトとフランジとを引き剥がすことができる。
【００１３】
この発明の好ましい態様において、フランジの外縁側の容器頂部に、熱可塑性最外層から紙基材の途中まで切込みが形成されている。
分離用フィルムの把持容易部を引き上げる際に、切込みから層状剥ぎ取りをより容易に開始させることができ、よりスムーズに、よりコントロールされた状態でリサイクルを行うことができる。
【００１４】
この発明の好ましい態様において、開封装置が、スパウトと、フランジと、キャップと、スパウト内に収納される回転刃とを備える。
回転刃がスパウト内に収納され、開口部の封止フィルムを簡易に切断することができ、開封用の尖ったプラスチック部分、回転刃があっても、よりコントロールされた状態で分離分別を行うことができる。
【図面の簡単な説明】
【００１５】
【図１】この発明の実施例による紙容器において、スパウトと、フランジと、キャップと、スパウト内に収納される回転刃とを備える開封装置が、組立てられ（ａ）、（ｂ）、容器に接合され（ｃ）、（ｄ）、使用時に開封され（ｅ）、再封止され（ｆ）、分離分別される（ｇ）、（ｈ）様子を示す部分外観図である。
【図２】この発明の実施例による紙容器において、分離分別される様子を示す部分断面図である。
【図３】この発明の実施例による紙容器において、開封装置の様子を示す部分平面図である。
【図４】この発明で使用することができる紙容器の外観図である。
【発明を実施するための形態】
【００１６】
以下、本発明の実施の形態について、添付図面を参照しながら詳細に説明する。
この実施例による紙容器１は、図４（Ｂ）に例示すように、容器頂部にキャップ６及びスパウト７を有する開封装置２を備える。
容器１の頂部に、開封装置２が、開口部３に注ぎ口を形成する。スパウト７が注ぎ口の機能を担い、キャップ６がスパウト７を覆い、衛生的にスパウト７を保護し、開封後は再封止する。
【００１７】
この実施例による紙容器１は、紙基材９と熱可塑性材料の最外層及び最内層との積層包装材料８からなる。
両熱可塑性層は、基材の紙層を水、湿気から保護し、紙基材は機械的強度を容器に付与し、器壁の厚みの大部分を占める。厚みのある紙基材は繊維質であるので、図２（ｂ）に示すように、容易に層状１３に剥がれる。
【００１８】
この実施例による開封装置２は、図１（ａ）〜（ｃ）に示すように、封止フィルム４が張られた開口部３上のスパウト７と、開口部３の周縁外面上のフランジ１０と、キャップ６とからなる。
スパウト７は、開封時に、図１（ｅ）〜（ｆ）に示すように、封止フィルム４が破られ開口部３に開口が形成され、注ぎ口の役割を果たす。
フランジは、スパウト７の基部に一体的に配設され、開口部の周縁外面上に接合されて容器に固定される。
【００１９】
この実施例において、開封装置２が、スパウト７と、フランジ１０と、キャップ６と、スパウト内に収納される回転刃１１とを備える。
回転刃１１は、図１（ａ）に示すように、組立時に、スパウト内に収納される。
使用時に、図１（ｅ）に示すように、キャップ６の上方回転によって、回転しながら下方に下降し、開口部３の封止フィルム４を簡易に切断する。
【００２０】
この実施例による紙容器１は、図２、図３に示されるように、開口部３の周縁外面上に積層され、フランジ１０の底面と接合され、フランジ１０の外縁より延長した把持容易部１２ａを備える分離用フィルム１２を備える。
分離用フィルム１２は、開口部３の周縁外面とフランジ１０底面との間に積層される。分離用フィルム１２の把持容易部１２ａは、フランジ１０の外縁より延長した部分となる。
【００２１】
この実施例による分離用フィルムの把持容易部１２ａは、図２に示すように、開封装置２を紙容器１から分離するに際して、分離用フィルム１２の把持容易部１２ａを引き上げ、分離用フィルム１２と紙容器の積層包装材料８と、それらの間にストレスが発生し、ストレスによって弱い層が破断し、それと融着する紙基材層９も破断が生じ、厚みのある紙基材８は、容易に層状に剥がれ、開口部の周縁外面下１３に沿って、紙基材を層状に剥ぎ取る。図２（ｂ）に示すように、スパウト７とフランジ１０とを引き剥がす。
【００２２】
この実施例において、フランジ１０の外縁側の容器頂部に、図２、図３に示されるように、熱可塑性最外層から紙基材８の途中まで切込み１４が形成されている。
分離用フィルムの把持容易部１２ａを引き上げる際に、切込み１４から層状剥ぎ取りをより容易に開始させ、よりスムーズに、よりコントロールされた状態でリサイクルを行う。
開封用の尖ったプラスチック部分、回転刃１１があっても、よりコントロールされた状態で分離分別を行う。
【００２３】
なお、本発明は実施の形態に限定されるものではなく、本発明の趣旨に基づいて種々変形させることが可能であり、それらを本発明の範囲から排除するものではない。
【産業上の利用可能性】
【００２４】
この発明は、液体食品の包装充填の製造に適用することができる。
【符号の説明】
【００２５】
１    紙容器
２    開封装置
３    開口部
６    キャップ
７    スパウト
１０  フランジ
【図１】
2015061791.tif 000003
【図２】
2015061791.tif 000004
【図３】
2015061791.tif 000005
【図４】
2015061791.tif 000006